(57)【特許請求の範囲】
【請求項１】
両側の縦枠には、鉛直方向略全長に渡り、両側壁を構成する小壁が各々接続されて、該両側の縦枠間に上弦材および下弦材を横架し、上弦材および下弦材間に複数の縦材および斜材を配設してなる屋根トラスを備えた屋根ユニットにおいて、上記下弦材を上記縦枠の下端よりも高い位置に配置して、上記屋根トラスを門形に形成してなると共に、上記下弦材に勾配天井の一端を接合して、上面を覆う屋根面と、該勾配天井との間に、前記屋根トラスのトラス面内外方向へ通気する通気層を設けたことを特徴とする屋根ユニット。
【発明の詳細な説明】
【０００１】
【発明の属する技術分野】
本発明は、屋根ユニットに係り、特に空間の有効活用を図った屋根ユニットに関する。
【０００２】
【従来の技術】
建物の工場生産化率を高めるために、建物を建物ユニットおよび屋根ユニットとして複数に分割して工場で生産し、これらユニットを建築現場で接合して建物を完成させるようにしたユニット建物が広く普及されている。このようなユニット建物に使用される屋根ユニットとしては、例えば特公昭６１−１５８３号公報に記載されているように、内部に屋根トラスを配置して剛性の向上を図ったものが知られている。この屋根トラスは、両側の縦枠間に上弦材および下弦材を横架し、上弦材および下弦材間に複数の縦材および斜材を配設して構成される。
【０００３】
【発明が解決しようとする課題】
しかしながら、上記屋根トラスを備えた屋根ユニットにおいては、屋根トラスが空間を仕切るようになるため、空間の有効活用が図れなかった。
【０００４】
本発明は、上記事情に鑑みなされたもので、屋根トラスを有しながら空間の有効活用が図れる屋根ユニットを提供することを目的とするものである。
【０００５】
【課題を解決するための手段】
上記目的を達成するために請求項１記載の屋根ユニットは両側の縦枠には、鉛直方向略全長に渡り、両側壁を構成する小壁が各々接続されて、該両側の縦枠間に上弦材および下弦材を横架し、上弦材および下弦材間に複数の縦材および斜材を配設してなる屋根トラスを備えた屋根ユニットにおいて、上記下弦材を上記縦枠の下端よりも高い位置に配置して、上記屋根トラスを門形に形成してなると共に、上記下弦材に勾配天井の一端を接合して、上面を覆う屋根面と、該勾配天井との間に、前記屋根トラスのトラス面内外方向へ通気する通気層を設けた屋根ユニットを特徴とする。
【０００８】
【作用】
請求項１記載の屋根ユニットによれば、
屋根トラスを門形に形成したので、屋根ユニット下の空間が屋根トラスによって仕切られることがなく、連続した空間を得ることができ、屋根トラスを有していながら空間の有効活用が図れる。
【０００９】
上記下弦材に勾配天井の一端を接合するため、勾配天井を容易に形成することができる。
【００１１】
【発明の実施の形態】
以下に、本発明の実施の形態を添付図面に基いて詳述する。
【００１２】
図１において、１は勾配屋根を構成する片流れ形の屋根ユニットで、この屋根ユニット１は屋根トラス２を備えている。この屋根トラス２は、図３にも示すように左右両側に配置された一対の縦枠３と、両縦枠３間に上下に間隔を隔てて平行に横架された上弦材４および下弦材５と、これら上弦材４および下弦材５間に適宜間隔で配設された縦材（束材ともいう）６および斜材（斜め束材ともいう）７とから主に構成されている。
【００１３】
上記上弦材４は、上記縦枠３の上端部間に掛け渡されている。特に、上記下弦材５は、縦枠３の下端よりも高い位置に配置され、これにより屋根トラス２が門形に形成されている。なお、図示例の屋根トラス２においては、上記縦枠３に補助枠８を介して下弦材５が接合されているが、縦枠３に下弦材５が直接接合されていてもよい。また、屋根トラス２における各部材の接合には、接合プレートであるガセットプレート９やネイルプレートが用いられることが接合強度の向上を図る上で好ましい。ここで、屋根トラス２の全高が約１４００ｍｍであるのに対し、下弦材５の下端は縦枠３の下端より約８００ｍｍ高い位置とされている。
【００１４】
上記屋根トラス２の両側の縦枠３には、直角三角形状の壁パネルからなる小壁１０が接合される。また、両小壁１０の先端部間には、横材１１が掛け渡され、この横材１１と上記屋根トラス２の間に図２に示すように天井パネルからなる勾配天井１２が掛け渡されている。この勾配天井１２を形成する上記天井パネルは、例えばランバー材の組立体からなる天井枠組１３に石膏ボード等の面材１４を張設してなり、その天井枠組１３の一端が上記下弦材５に、かつ他端が上記横材１１にそれぞれ釘打ちにより接合される。
【００１５】
上記屋根トラス２の上弦材４と横材１１の間には、図５に示すように垂木１５が掛け渡され、これら垂木１５の上面には屋根面を形成する合板等の面材１６が張設される。上記屋根ユニット１は、例えば図４に示すように寄棟形の屋根部分１７ａおよび切妻形の屋根部分１７ｂを有する屋根１７の切妻形の屋根部分１７ｂを構成するのに用いられる。上記切妻形の屋根部分１７ｂは、図５に示すように一対の上記屋根ユニット１を屋根トラス２部分で互いに接合することにより構成される。また、上記屋根ユニット１は、例えば床パネル１８および壁パネル１９からなる枠組壁工法の建物ユニット２０の上部に据え付けられる。なお、２１は勾配天井１２の上面に設けられたグラスウール等の断熱材であり、隣り合う屋根トラス２の下弦材５上を跨がるように配されている。
【００１６】
以上のように構成された屋根ユニットによれば、下弦材５を両側の縦枠３の下端よりも上方に高く配置して屋根トラス２を門形に形成したので、屋根ユニット１下の空間が屋根トラス２によって仕切られることがなく、連続した空間を得ることができ、屋根トラスを有していながら空間の有効活用が図れる。また、上記下弦材５に勾配天井１２の一端を接合するため、勾配天井１２を容易に形成することができる。
【００１７】
上記屋根トラス２のトラス面は貫通していて気流を妨げないので、屋根面と天井面の間に通気層を形成することができ、居住性および耐久性の向上が図れる。また、上述したように隣り合う屋根トラス２の下弦材５上に断熱材２１を跨がって配することができるため、断熱性が確保しやすい。
【００１８】
図６ないし図７は、門形の屋根トラス２をロフト（屋根裏部屋）２２の開口側に配置した形態を示している。本実施の形態における屋根トラス２は、両側の縦枠３がそれぞれ内側の縦枠３ａと外側の縦枠３ｂからなり、これら縦枠３（３ａ，３ｂ）の上端部間に上弦材４が横架され、内側の縦枠３ａ間に縦枠３の下端よりも高い位置に下弦材５が横架されている。上記上弦材４および下弦材５間には適宜間隔で縦材６および斜材７が配設されると共に、内側と外側の縦枠３ａ，３ｂ間にも斜材２３等が配設され、剛性の向上が図られている。この実施の形態においても、屋根トラス２の全高が約１４００ｍｍであるのに対し、下弦材５の下端は縦枠３（３ａ，３ｂ）の下端より約８００ｍｍ高い位置とされている。
【００１９】
上記屋根トラス２は、ロフト２２の床を形成する床パネル２４の一側部に接合されている。この床パネル２４は、床根太の組立体である床枠組２５の上面に床面を形成する合板等の面材２６を張設してなり、この床パネル２４の屋根トラス２側一側部には、この門形屋根トラス２により区画形成された出入口（開口）２７と連続するように凹部２８が形成されている。上記床パネル２４の他側部には壁トラス２９が起立して設けられ、この壁トラス２９の上端部には門形ではない通常の屋根トラス３０が接合される。
【００２０】
上記門形の屋根トラス２と通常の屋根トラス３０の上端部（上弦材）間には、垂木３１が掛け渡され、これら垂木３１の上面に屋根面を形成する面材３２が張設される。また、上記通常の屋根トラス３０の下端部（下弦材）と上記垂木３２の間に天井パネルからなる水平天井３３が掛け渡され、この水平天井３３の一側部と上記門形屋根トラス２の下弦材５との間には勾配天井１２が掛け渡されている。このように構成された屋根ユニット１によれば、上記門形の屋根トラス２をロフト２２の開口側に配置するため、出入口２７の確保されたロフトを容易に形成することができる。
【００２１】
以上、本発明の実施の形態を図面により詳述してきたが、具体的な構成は上記実施の形態に限られるものではなく、本発明の要旨を逸脱しない範囲の設計の変更等があっても本発明に含まれる。
【００２２】
【発明の効果】
以上要するに本発明によれば、次のような優れた効果が得られる。
（１）請求項１記載の屋根ユニットによれば、屋根トラスを門形に形成したので屋根ユニット下の空間が屋根トラスによって仕切られることがなく、連続した空間を得ることができ、屋根トラスを有していながら空間の有効活用が図れる。
また、上記下弦材に勾配天井の一端を接合するため、勾配天井を容易に形成することができる。
【図面の簡単な説明】
【図１】本発明の実施の形態を示す屋根ユニットの斜視図である。
【図２】勾配天井を取付けた状態の屋根ユニットの斜視図である。
【図３】図１の屋根ユニットに用いられている屋根トラスを示す図で、（ａ）は正面図、（ｂ）は側断面図である。
【図４】屋根ユニットにより構成される屋根の一例を示す平面図である。
【図５】図４のＡ−Ａ線拡大断面図である。
【図６】屋根トラスをロフトの開口側に配置した形態を示す斜視図である。
【図７】ロフトの側断面図である。
【図１】
0003718269.tif 000002
【図２】
0003718269.tif 000003
【図３】
0003718269.tif 000004
【図４】
0003718269.tif 000005
【図５】
0003718269.tif 000006
【図６】
0003718269.tif 000007
【図７】
0003718269.tif 000008